(57)【要約】【課題】イオンに含まれる水分子の熱運動エネルギーを小さくできながら、構造が簡単であって嵩張らないイオン供給装置を提供する。【解決手段】イオン発生器１９で生成されたマイナスイオンと、ペルチェ素子２１で冷却された冷気とを混合した状態で、本体ケース１の送風路４内をヒーター１１で温められた空気流と共に送風する。ペルチェ素子２１よりも空気流の流れる方向の風上側に、空気流がペルチェ素子２１に直接吹き当たることを規制する遮風手段２２を配置した。【選択図】図１
2008099928.tif 000002
【特許請求の範囲】
【請求項１】
イオン発生手段（１９）で生成されたイオンと、冷却手段（２１）で冷却された冷気とを混合した状態で送風路（４）内を空気流と共に送風するイオン供給装置において、
冷却手段（２１）よりも空気流の流れる方向の風上側に、空気流が冷却手段（２１）に直接吹き当たることを規制する遮風手段（２２）を配置したことを特徴とするイオン供給装置。
【請求項２】
イオン発生手段（１９）と冷却手段（２１）と遮風手段（２２）とが、送風路（４）の通路断面の中央部において空気流の流れる方向に直線状に並んでいる請求項１に記載のイオン供給装置。
【請求項３】
イオン発生手段（１９）が、冷却手段（２１）よりも空気流の流れる方向の風上側に配置されている請求項１と２の何れかに記載のイオン供給装置。
【請求項４】
イオン発生手段（１９）が、冷却手段（２１）よりも空気流の流れる方向の風下側に配置されている請求項１と２の何れかに記載のイオン供給装置。
【請求項５】
冷却手段（２１）が、ペルチェ素子によって構成されており、
ペルチェ素子（２１）の放熱側に放熱体（２３）が接している請求項１と２と３と４の何れかに記載のイオン供給装置。
【請求項６】
イオン発生手段（１９）は、放電電極（２０）を含んでいて、放電電極（２０）の先端部（２０ａ）での放電によってイオンを生成しており、
放電電極（２０）の先端部（２０ａ）が、冷却手段（２１）に臨んでいる請求項１と２と３と４と５の何れかに記載のイオン供給装置。
【請求項７】
遮風手段（２２）が、空気流の流れる方向に対して交差状に設けた遮風板部（２７）を含んでいる請求項１と２と３と４と５と６に記載のイオン供給装置。
【請求項８】
遮風板部（２７）に放電電極（２０）を取り付けた請求項７に記載のイオン供給装置。
【請求項９】
遮風板部（２７）に、負圧防止用の通気孔（２９）を貫通状に設けてある請求項７と８の何れかに記載のイオン供給装置。
【請求項１０】
放電電極（２０）に電圧を印加するためのイオン発生ユニット（３１）を送風路（４）内に配置してあり、
イオン発生ユニット（３１）が、冷却手段（２１）よりも空気流の流れる方向の風上側に配置されることで、遮風手段（２２）を兼ねている請求項６に記載のイオン供給装置。
【請求項１１】
放熱体（２３）が、放電電極（２０）に対する対向電極を兼ねている請求項５と６と７と８と９と１０に記載のイオン供給装置。
【請求項１２】
空気流を温める加熱手段（１１）を送風路（４）内に配置してあり、
冷却手段（２１）が、加熱手段（１１）の作動状況に連動している請求項１と２と３と４と５と６と７と８と９と１０と１１の何れかに記載のイオン供給装置。
【請求項１３】
加熱手段（１１）の温度を検出する温度検出手段（４２）を有しており、
温度検出手段（４２）によって、加熱手段（１１）が所定温度以下であることが検出されたときには冷却手段（２１）と加熱手段（１１）とが作動し、加熱手段（１１）が所定温度を超えたことが検出されたときには冷却手段（２１）と加熱手段（１１）との作動が停止するようにした請求項１２に記載のイオン供給装置。
【請求項１４】
送風路（４）の通路断面の中心部には、空気流の流れる方向に延びる扁平形状の絶縁体（１０）が配置されており、
絶縁体（１０）の一方の面に、イオン発生手段（１９）とペルチェ素子（２１）の吸熱側と遮風手段（２２）とを配置し、
絶縁体（１０）の他方の面に放熱体（２３）を配置した請求項５と６と７と８と９と１０と１１と１２と１３の何れかに記載のイオン供給装置。
【発明の詳細な説明】
【技術分野】
【０００１】
本発明は、ヘアードライヤ等に用いられて、毛髪等にマイナスイオンやプラスイオンを供給するイオン供給装置に関するものである。
【背景技術】
【０００２】
例えばマイナスイオンは、電極等から空気中に放出された電子が空気中の酸素分子や水分子と結合することで生成される。このマイナスイオンを生成するためのイオン発生器等を有するヘアードライヤ等については、特許文献１〜４に開示されている。
【０００３】
マイナスイオンに含まれる水分子の熱運動エネルギーが小さい方が、水分子を含むマイナスイオンが髪等に付着したのちに過度に蒸発することを抑えることができる。つまり、マイナスイオンに含まれる水分子が髪等に残る状態を長く維持することができることになる。これに対して、特許文献１では、ヒーターで温めた温風を送風する温風流路とは別に、外気を取り込んで送風する冷風流路を設けておき、その冷風流路内にイオン発生器を配置してある。この場合には、イオン発生器の周辺温度が低くなって、マイナスイオンに含まれる水分子の熱運動エネルギーが小さくなる。
【０００４】
【特許文献１】特開２００４−２０８９３５号公報（図１）
【特許文献２】特開２００４−１３８３５４号公報（図１）
【特許文献３】特開２００３−３３８３５５号公報（図１−２）
【特許文献４】特許第３５９１７２３号公報（図２）
【発明の開示】
【発明が解決しようとする課題】
【０００５】
外気の温度は季節や環境等によって変化するために、マイナスイオンに含まれる水分子の熱運動エネルギーを常に低くできるとは限らないところに問題がある。また、特許文献１では、温風流路と冷風流路とを別々に設けている分だけ、構造が複雑になるうえにヘアードライヤ等が嵩張ってしまう。
【０００６】
そこで本発明の目的は、イオンに含まれる水分子の熱運動エネルギーを常に低くできながら、構造が簡単であって嵩張らないイオン供給装置を提供することにある。
【課題を解決するための手段】
【０００７】
本発明は、イオン発生手段１９で生成されたイオンと、冷却手段２１で冷却された冷気とを混合した状態で送風路４内を空気流と共に送風するイオン供給装置において、冷却手段２１よりも空気流の流れる方向の風上側に、空気流が冷却手段２１に直接吹き当たることを規制する遮風手段２２を配置したことを第１の特徴とする（図１および図２）。
【０００８】
本発明の第２の特徴は、前記第１の特徴に加えて、イオン発生手段１９と冷却手段２１と遮風手段２２とが、送風路４の通路断面の中央部において空気流の流れる方向に直線状に並んでいる点にある。
【０００９】
本発明の第３の特徴は、前記第１あるいは第２の特徴に加えて、イオン発生手段１９が、冷却手段２１よりも空気流の流れる方向の風上側に配置されている点にある（図１および図６）。
【００１０】
本発明の第４の特徴は、前記第１あるいは第２の特徴に加えて、イオン発生手段１９が、冷却手段２１よりも空気流の流れる方向の風下側に配置されている点にある（図５および図８）。
【００１１】
本発明の第５の特徴は、前記第１、第２、第３あるいは第４の特徴に加えて、冷却手段２１が、ペルチェ素子によって構成されており、ペルチェ素子２１の放熱側に放熱体２３が接している点にある（図１）。
【００１２】
本発明の第６の特徴は、前記第１、第２、第３、第４あるいは第５の特徴に加えて、イオン発生手段１９は、放電電極２０を含んでいて、放電電極２０の先端部２０ａでの放電によってイオンを生成しており、放電電極２０の先端部２０ａが、冷却手段２１に臨んでいる点にある（図１）。
【００１３】
本発明の第７の特徴は、前記第１、第２、第３、第４、第５あるいは第６の特徴に加えて、遮風手段２２が、空気流の流れる方向に対して交差状に設けた遮風板部２７を含んでいる点にある（図１）。
【００１４】
本発明の第８の特徴は、前記第７の特徴に加えて、遮風板部２７に放電電極２０を取り付けた点にある。
【００１５】
本発明の第９の特徴は、前記第７あるいは第８の特徴に加えて、遮風板部２７に、負圧防止用の通気孔２９を貫通状に設けてある点にある。
【００１６】
本発明の第１０の特徴は、前記第６の特徴に加えて、放電電極２０に電圧を印加するためのイオン発生ユニット３１を送風路４内に配置してあり、イオン発生ユニット３１が、冷却手段２１よりも空気流の流れる方向の風上側に配置されることで、遮風手段２２を兼ねている点にある。
【００１７】
本発明の第１１の特徴は、前記第５、第６、第７、第８、第９あるいは第１０の特徴に加えて、放熱体２３が、放電電極２０に対する対向電極を兼ねている点にある。
【００１８】
本発明の第１２の特徴は、前記第１、第２、第３、第４、第５、第６、第７、第８、第９、第１０あるいは第１１の特徴に加えて、空気流を温める加熱手段１１を送風路４内に配置してあり、冷却手段２１が、加熱手段１１の作動状況に連動している点にある。
【００１９】
本発明の第１３の特徴は、前記第１２の特徴に加えて、加熱手段１１の温度を検出する温度検出手段４２を有しており、温度検出手段４２によって、加熱手段１１が所定温度以下であることが検出されたときには冷却手段２１と加熱手段１１とが作動し、加熱手段１１が所定温度を超えたことが検出されたときには冷却手段２１と加熱手段１１との作動が停止するようにした点にある。
【００２０】
本発明の第１４の特徴は、前記第５、第６、第７、第８、第９、第１０、第１１、第１２あるいは第１３の特徴に加えて、送風路４の通路断面の中心部には、空気流の流れる方向に延びる扁平形状の絶縁体１０が配置されており、絶縁体１０の一方の面に、イオン発生手段１９とペルチェ素子２１の吸熱側と遮風手段２２とを配置し、絶縁体１０の他方の面に放熱体２３を配置した点にある。
【発明の効果】
【００２１】
本発明では、空気流が冷却手段２１に直接吹き当たることを規制する遮風手段２２を冷却手段２１の風上側に配置したので、冷却手段２１で冷却された冷気が空気流によって過度に流されることを防止できる。つまり、イオンが冷却手段２１で冷却された冷気に接触することで、そのイオンに含まれる水分子の熱運動エネルギーが小さくなって、髪等に付着したのちに過度（早期）に蒸発することを抑えることができる。しかも遮風手段２２を配置するだけでよいので、簡単な構造で済むうえに嵩張らないで済む。
【００２２】
イオン発生手段１９と冷却手段２１と遮風手段２２とが、送風路４の通路断面の中央部において空気流の流れる方向に直線状に並んでいるので、遮風手段２２によって空気流を確実に規制できる。
【００２３】
イオン発生手段１９が、冷却手段２１よりも空気流の流れる方向の風上側に配置されていると、イオン発生手段１９で生成されたイオンを、冷却手段２１で冷却された冷気に確実に混合できる。したがって、そのイオンに含まれる水分子の熱運動エネルギーを小さくでき、これによって髪等に付着したのちに過度に蒸発することを抑えることができる。
【００２４】
イオン発生手段１９が、冷却手段２１よりも空気流の流れる方向の風下側に配置されていると、冷却手段２１で冷却された冷気がイオン発生手段１９に供給されて、イオン発生手段１９で生成されたイオンと、冷却手段２１で冷却された冷気とを確実に混合できる。したがって、そのイオンに含まれる水分子の熱運動エネルギーを小さくでき、これによって髪等に付着したのちに過度に蒸発することを抑えることができる。
【００２５】
冷却手段２１がペルチェ素子であって、ペルチェ素子２１の放熱側に放熱体２３が接しているので、冷却手段２１をよりコンパクトに構成できて嵩張らないようにできるとともに、放熱体２３の放熱作用によってペルチェ素子２１の冷却効果を確実に維持できる。
【００２６】
放電によってイオンを生成する放電電極２０の先端部２０ａが、冷却手段２１に臨んでいるので、イオンと冷気とを確実にさせて、そのイオンに含まれる水分子の熱運動エネルギーを小さくできる。
【００２７】
遮風手段２２が、空気流の流れる方向に対して交差状に設けた遮風板部２７を含んでいるので、遮風手段２２の構成が簡単になって、遮風手段２２を嵩張らないようにできる。
【００２８】
遮風板部２７に放電電極２０を取り付けるので、放電電極２０を取り付けるための部材を別途設ける必要がなく、その分だけ部品点数を減らせて構成を簡単にできるうえ、部品の組み立ての手間および管理を軽減できる。
【００２９】
遮風板部２７に負圧防止用の通気孔２９を貫通状に設けてあるので、遮風板部２７の風下側の気圧の低下が抑えられる。したがって、空気流が遮風板部２７の風下側に巻き込まれ、その空気流が冷却手段２１に吹き当たって冷却手段２１の冷却効率が低下することを低減できるとともに、冷却手段２１で冷却された冷気が、過度に流されてしまうことを確実に低減できる。
【００３０】
イオン発生ユニット３１が冷却手段２１の風上側に配置されると、遮風手段２２を別途設ける必要がなく、その分だけ部品点数を減らせて構成を簡単にできるうえ、部品の組み立ての手間および管理を軽減できる。
【００３１】
放熱体２３が、放電電極２０に対する対向電極を兼ねるので、対向電極を別途設ける必要がなく、その分だけ構成を簡単にできるうえ、製造の手間および管理を軽減できる。
【００３２】
冷却手段２１が加熱手段１１の作動状況に連動していると、加熱手段１１の作動が停止して空気流が温められていないときに、冷却手段２１の作動も停止させることができて、冷却手段２１を必要以上に作動させることを防止できる。
【００３３】
温度検出手段４２によって、加熱手段１１が所定温度以下であることが検出されたときに冷却手段２１と加熱手段１１とが作動し、加熱手段１１が所定温度を超えたことが検出されたときに冷却手段２１と加熱手段１１との作動が停止するようにしたので、一つの温度検出手段４２で、送風手段が故障したとき等に加熱手段１１の温度が過度に上昇することを防止できるとともに、冷却手段２１を必要以上に作動させることを防止できる。
【００３４】
絶縁体１０の一方の面に、イオン発生手段１９とペルチェ素子２１の吸熱側と遮風手段２２とを配置し、絶縁体１０の他方の面に放熱体２３を配置したので、ペルチェ素子２１で冷却された冷気が、放熱体２３で温められた空気の熱によって温められることを防止できる。
【発明を実施するための最良の形態】
【００３５】
図面は、本発明のイオン供給装置をヘアードライヤに適用した例を示している。図２においてヘアードライヤは、横長筒状の本体ケース１と、本体ケース１の下面一側（図２では右側）に設けたハンドル２とを有しており、これらの内部に送風ユニットや制御回路等を収容してある。ハンドル２には、電源スイッチノブ３等を設けてあり、ハンドル２の内部には、電源スイッチノブ３で切り換え操作される電源スイッチ３ａが収容してある。ハンドル２は、本体ケース１に対して折り畳み可能に連結してある。ハンドル２の下端には、商用電源（交流１００Ｖ等）に接続するためのコード（図示せず）が導出している。
【００３６】
送風ユニットは、本体ケース１の内部の送風路４内に配置されており、モーターケース５と、モーターケース５に組み付けられるモーター６および軸流型の送風ファン７と、縦横の十文字状に組まれた扁平板形状の一対の絶縁体９・１０と、縦横の絶縁体９・１０に螺旋状に巻き付けられるヒーター（加熱手段）１１とを含む。ヒーター１１は、ニクロム線で形成される。
【００３７】
送風ファン７は、モーター６によって一方向へ回転駆動されるようになっており、送風ファン７の回転によって本体ケース１の送風路４の後端（図２の右側）の吸込口１２から外気（空気）が吸い込まれ、その外気の空気流が、ヒーター１１で温められたのちに送風路４の前端（図２の左側）の吹出口１３から吹き出される。吸込口１２は、粗いフィルタを兼ねる部分球面状の吸込グリル１５で覆ってある。吹出口１３の内面には、吹出グリル１６を固定してある。
【００３８】
縦横の絶縁体９・１０は、それぞれ雲母（マイカ）やガラスやセラミックス等から成り、送風路４の通路断面の中心部を通るとともに空気流の流れる方向に延びている。縦横の絶縁体９・１０は、耐熱性を有するとともに誘電特性に優れており、さらに耐オゾン性を有する。ヒーター１１の周囲は、円筒状の絶縁筒１７等で覆われており、絶縁筒１７等によってヒーター１１の熱が本体ケース１に伝わることを抑えて、本体ケース１が熱くなり難くしてある。モーターケース５は、送風ファン７の周囲を囲む円筒状の導風筒５ａと、モーター６を保持する中央のホルダー筒５ｂと、ホルダー筒５ｂと導風筒５ａとを繋ぐ複数枚の整流翼５ｃとで構成される。
【００３９】
ヒーター１１で温められた空気流と共にマイナスイオンを毛髪に供給するために、本体ケース１の送風路４の前端部であって送風路４の通路断面の中央部には、マイナスイオンを生成するイオン発生器（イオン発生手段）１９を配置してある。イオン発生器１９は、図１および図３に示すように、前側の先端部２０ａが尖った横置きの放電電極２０を有している。放電電極２０よりも空気流の流れる方向の風下側（図１の左側）には、周辺の空気を冷却するペルチェ素子（冷却手段）２１を配置してあり、ペルチェ素子２１よりも空気流の流れる方向の風上側には、風除け用の遮風手段２２を配置してある。放電電極２０は、放電抵抗が小さいタングステン等から成る。
【００４０】
遮風手段２２は、横向きの半円筒形状の風除部２６と、空気流の流れる方向に対して垂直（交差状）に設けられて風除部２６の後端を塞ぐ半円形状の遮風板部２７とから成り、ヒーター１１で温められた空気流がペルチェ素子２１およびその周辺に直接吹き当たることを規制している。遮風手段２２は、耐オゾン性、耐熱性および絶縁性を有するプラスチック材、例えばポリフェニレンサルファイド、ポリブチレンテレフタレートあるいはポリエチレンで形成される。
【００４１】
遮風手段２２の遮風板部２７の上下方向の中間には、放電電極２０の後ろ側の基端部２０ｂが取り付けられていて、放電電極２０が遮風手段２２の風除部２６に覆われた状態で風除部２６内に収まっている。つまり、放電電極２０の先端部２０ａは、ペルチェ素子２１よりも空気流の流れる方向の風上側において、ペルチェ素子２１に臨んでいる。イオン発生器１９とペルチェ素子２１の吸熱側と遮風手段２２とは、横置きの絶縁体１０の一方の面側である上面側に配置され、本体ケース１の送風路４の通路断面の中央部において空気流の流れる方向にほぼ直線状に並んでいる。縦置きの絶縁体９の前端部は、イオン発生器１９との干渉を防ぐために切り欠いてある。
【００４２】
ペルチェ素子２１は、その上側（吸熱側）で吸熱することで周辺の空気を冷却するようになっている。ペルチェ素子２１の下側（放熱側）には放熱体２３が接しており、ペルチェ素子２１が吸収した熱が放熱体２３で放熱される。なお、ヒーター１１は、縦横の絶縁体９・１０に巻き付けられていて、本体ケース１の送風路４の通路断面の周辺部に位置するために、ヒーター１１で高温に温められた空気は、主に本体ケース１の通路断面の送風路４の周辺部を流れ、これによってペルチェ素子２１および放熱体２３の周辺を流れる空気の温度は比較的低くなって、その分だけペルチェ素子２１が吸収した熱を放熱体２３で十分に放熱できる。つまり、ペルチェ素子２１の冷却効率を高くできる。
【００４３】
また、前述のように本体ケース１の送風路４の通路断面の中央部を流れる空気流の温度は比較的低いが、その温度の低い空気流であってもペルチェ素子２１に直接吹き当たると、ペルチェ素子２１による冷却の妨げになる。このため、遮風手段２２によって、空気流がペルチェ素子２１およびその周辺に直接吹き当たることを規制している。
【００４４】
放熱体２３は、図１および図３に示すように、横置きの絶縁体１０の他方の面である下面側、且つペルチェ素子２１の下側となる位置に配置される。つまり、横置きの絶縁体１０における遮風手段２２の前側には、ペルチェ素子２１が貫通状に嵌合する嵌合孔２５が設けられており、ペルチェ素子２１は、吸熱側が上側に位置し、放熱側が下側に位置する姿勢で嵌合孔２５に嵌合している。放熱体２３は、アルミニウム等の熱伝導性の良い金属から成り、平板状のベース２３ａの上面にペルチェ素子２１の下面が接している（面接触）。放熱体２３のベース２３ａの下面には、複数枚のフィン２３ｂがベース２３ａから垂下する状態で横方向に等間隔に並べて設けられており（図３）、各フィン２３ｂは、それぞれ空気流の流れる方向（図１の左右方向）に延びている。
【００４５】
遮風手段２２の遮風板部２７の上端部には、負圧防止用の複数個の通気孔２９を貫通状に設けてあり、周辺の空気が各通気孔２９を通って遮風手段２２内に入り込めるようになっている。これにより、遮風手段２２内の気圧の低下が抑えられて、遮風手段２２に沿って前方へ流れる空気流が遮風手段２２の前側に巻き込まれ、その空気流がペルチェ素子２１に直接吹き当たることや、空気流によってペルチェ素子２１で冷却された冷気が過度に流されてしまうことを低減している。
【００４６】
横置きの絶縁体１０の上面側であって遮風手段２２よりも空気流の流れる方向の風上側には、耐熱性および絶縁性を有する樹脂で被覆されたイオン発生ユニット３１が配置されている。イオン発生ユニット３１は、商用電源３２の交流電圧を整流してパルス状の電圧に変換するパルス発生回路３５と、パルス状の電圧を昇圧する昇圧トランス３６と、昇圧トランス３６の二次側と放電電極２０との間に配置されたダイオード３７とを有している。つまり、昇圧トランス３６の二次側の一端が、ダイオード３７を介して放電電極２０に接続される。
【００４７】
昇圧トランス３６の二次側の他端は放熱体２３に接続されており、これによって放熱体２３がグランド電位になり、放電電極２０に高電圧の負のパルスが印加される。つまり、放熱体２３は、放電電極２０に対する対向電極を兼ねることになる。放電電極２０と放熱体２３との間に介在する横置きの絶縁体１０は、誘電体として作用する。また、横置きの絶縁体１０が介在する分だけ、放電電極２０にスパークが生じることが防止され、そのスパークの発生によるマイナスイオンの生成量の低下を防止できる。
【００４８】
そして、放電電極２０に負の高電圧が印加されることで、放電電極２０の先端部２０ａの周辺でコロナ放電が発生し、これに伴ってペルチェ素子２１で冷却された冷気内およびその周辺でマイナスイオンが生成される。このマイナスイオンは、ペルチェ素子２１で冷却された冷気と混合された状態で、空気流と共に送風路４内を送られて吹出口１３から吹き出し、毛髪等に供給される。
【００４９】
本ヘアードライヤに内蔵される電気系の構成を説明すると、図４に示すように、コードを介して接続された商用電源３２に対して、イオン発生ユニット３１のパルス発生回路３５が並列接続され、さらに電流制限用抵抗４０および整流回路４１を介してモーター６が並列接続される。また、商用電源３２に対して、サーモスタット（温度検出手段）４２とヒーター１１とから成る直列回路が並列接続される。ヒーター１１に対しては、電流制限用抵抗４５および整流回路４６を介してペルチェ素子２１が並列接続される。商用電源３２と、これらの並列回路との間には、電源スイッチ３ａおよびヒューズ３９が介在する。サーモスタット４２は、ヒーター１１の温度を検出しており、ヒーター１１の温度が予め設定した所定温度（例えば９０℃）以下であることを検出したときにはオンし、所定温度を超えたことを検出したときにはオフになる。
【００５０】
この回路構成により、ヒーター１１およびペルチェ素子２１が、サーモスタット４２のオンに連動して同時にオン作動し、サーモスタット４２のオフに連動して同時にオフ作動する。サーモスタット４２は、ヒーター１１の近傍に配置されており、ヒューズ３９は、１３０℃以上で遮断する。
【００５１】
本ヘアードライヤの動作を説明すると、電源スイッチノブ３が操作されて電源スイッチ３ａがオンすると、モーター６によって送風ファン７が回転駆動される。また、電源スイッチ３ａがオンしたときにはヒーター１１が冷えているために、サーモスタット４２はオンしている。このため、ヒーター１１がオン作動し、同時にペルチェ素子２１がオン作動する。つまり、送風ファン７の回転によって吸込口１２から吸い込まれた外気が、ヒーター１１で温められる。このヒーター１１で温められた空気流は、吹出口１３から吹き出す。
【００５２】
一方、電源スイッチ３ａのオンに伴ってイオン発生ユニット３１が作動しているので、マイナスイオンが生成され、このマイナスイオンがペルチェ素子２１で冷却された冷気と混合し、空気流と共に送風路４内を送られて吹出口１３から吹き出す。この際、遮風手段２２によって、ヒーター１１で高温に温められた空気流が、ペルチェ素子２１およびその周辺に直接吹き当たることが規制されている。なお、ヒーター１１の温度が上昇してサーモスタット４２がオフになると、ヒーター１１およびペルチェ素子２１が同時にオフして作動が停止する。
【００５３】
ダイオード３７を省略して、昇圧トランス３６の二次側と放電電極２０とを直接接続してもよい。
【００５４】
図５に示すイオン発生器１９は、ペルチェ素子２１および放熱体２３よりも空気流の流れる方向の風下側に配置されており、ペルチェ素子２１で冷却された冷気が供給されるようになっている。また、図５では、イオン発生ユニット３１が、ペルチェ素子２１の近傍であってペルチェ素子２１よりも空気流の流れる方向の風上側に配置されている。これにより、イオン発生ユニット３１が、遮風手段２２を兼ねることになる。つまり、遮風手段２２を設けることを省略できて、構成の簡略化が図れる。
【００５５】
図５のイオン発生器１９は、放電電極２０に加えて、放電電極２０を固定する電極ホルダー４９を含んでいる。イオン発生ユニット３１とペルチェ素子２１と放電電極２０とは、本体ケース１の送風路４の通路断面の中央部において、空気流の流れる方向にほぼ直線状に並んでいる。図５でも、放熱体２３が、放電電極２０に対する対向電極を兼ねることになる。なお、図５では、放電電極２０の先端部２０ａが吹出口１３側に向いているが、放電電極２０の先端部２０ａをペルチェ素子２１側に向けて、放電電極２０の先端部２０ａをペルチェ素子２１に臨ませてもよい。
【００５６】
図５では、イオン発生ユニット３１が、ヒーター１１で高温に温められた空気流がペルチェ素子２１およびその周辺に直接吹き当たることを規制するので、ペルチェ素子２１で冷却された冷気に、イオン発生器１９で生成されたマイナスイオンを好適に混合でき、その混合された冷気およびマイナスイオンを、空気流と共に送風路４内を送って吹出口１３から吹き出すことができる。
【００５７】
図６に示すイオン発生器１９は、イオン発生ユニット３１の近傍であってイオン発生ユニット３１よりも空気流の流れる方向の風下側に配置してある。図６のイオン発生器１９よりも空気流の流れる方向の風下側には、空気流の流れる方向に対して垂直（交差状）に設けられた衝立状の遮風手段２２を配置してある。遮風手段２２の近傍であって遮風手段２２よりも空気流の流れる方向の風下側には、ペルチェ素子２１および放熱体２３を配置してある。図６の遮風手段２２も、ヒーター１１で高温に温められた空気流が、ペルチェ素子２１およびその周辺に直接吹き当たることを規制する。
【００５８】
図６の遮風手段２２の上端部には、図７に示すように負圧防止用の通気孔２９を貫通状に設けてあり、空気流が遮風手段２２を乗り越えて遮風手段２２の前側に巻き込まれて、ペルチェ素子２１での冷却を妨げることを低減している。図６の放電電極２０も電極ホルダー４９に固定されており、放熱体２３が放電電極２０に対する対向電極を兼ねている。図６のイオン発生器１９は、遮風手段２２の横側にずれており（図７）、放電電極２０が遮風手段２２に対面しないようになっている。そして、放電電極２０の近傍で生成されたマイナスイオンが遮風手段２２の前側に回りこんで、ペルチェ素子２１で冷却された冷気と混合して吹出口１３から吹き出す。
【００５９】
図８に示すペルチェ素子２１および放熱体２３は、モーター６の近傍であってモーター６よりも空気流の流れる方向の風下側に配置してある。つまり、モーター６が遮風手段２２を兼ねることになる。また、ペルチェ素子２１および放熱体２３よりも空気流の流れる方向の風下側にイオン発生器１９を配置してある。図８のイオン発生器１９も放電電極２０が電極ホルダー４９に固定されており、放熱体２３が放電電極２０に対する対向電極を兼ねている。図８でも、ペルチェ素子２１で冷却された冷気がイオン発生器１９に供給される。
【００６０】
図８では、横置きの絶縁体１０の下面側であってイオン発生器１９の下側に、イオン発生ユニット３１を配置してある。なお、図８でも、放電電極２０の先端部２０ａをペルチェ素子２１側に向けて、放電電極２０の先端部２０ａをペルチェ素子２１に臨ませてもよい。図８では、放熱体２３のフィン２３ｂがモーター６の下側まで延びている。
【００６１】
図９に示す遮風手段２２は、風除部２６の前後長さ寸法を図１の風除部２６よりも長くして、風除部２６で放電電極２０およびペルチェ素子２１を覆うようにしてある。これによって、ヒーター１１で囲まれた位置にペルチェ素子２１を配置しても、ヒーター１１の輻射熱がペルチェ素子２１に直接及ぶことが低減されて、ヒーター１１の輻射熱によってペルチェ素子２１の冷却効率が低下することが抑えられる。また、ペルチェ素子２１の配置の選択の自由度が向上して、本体ケース１の送風路４内の空間を有効利用でき、デットスペースの削減を図ることができる。
【００６２】
この場合、通気孔２９は、放電電極２０で生成されたマイナスイオンと、ペルチェ素子２１で冷却された冷気との混合作用を有するとともに、遮風手段２２内に空気流を導入させて、混合された冷気およびマイナスイオンを送風路４内へ送出させる作用とを有することになる。なお、この場合、遮風手段２２は、風除部２６と遮風板部２７とを別体に形成してもよい。
【００６３】
図１０に示す遮風手段２２は、遮風板部２７が前後に傾斜した状態で空気流の流れる方向に対して交差状に設けられている。つまり、図１０の（ａ）では、遮風板部２７の上端側が下端側よりも前側となる前屈みの姿勢になっており、図１０の（ｂ）では、遮風板部２７の上端側が下端側よりも後ろ側となる姿勢になっている。なお、図１０の（ｂ）では、風除部２６を省略している。また、図１０の（ａ）および（ｂ）では、通気孔２９を省略しているが、通気孔２９を設けてもよい。
【００６４】
図１１の放熱体２３は、ペルチェ素子２１の後ろ側に配置している。図１１では、放熱体２３が、遮風手段２２として作用し、ヒーター１１で高温に温められた空気流がペルチェ素子２１およびその周辺に直接吹き当たることを規制する。これによってもペルチェ素子２１で冷却された冷気に、イオン発生器１９で生成されたマイナスイオンを好適に混合でき、その混合された冷気およびマイナスイオンを、空気流と共に送風路４内を送って吹出口１３から吹き出すことができる。なお、図１１でも、放熱体２３が、放電電極２０に対する対向電極を兼ねることができる。また、図１１でも、放電電極２０の先端部２０ａをペルチェ素子２１側に向けて、放電電極２０の先端部２０ａをペルチェ素子２１に臨ませてもよい。
【００６５】
イオン発生器１９は、プラスイオンを生成するものであってもよく、またイオンを生成できるものであれば放電によらなくてもよく、種々に変更することができる。ペルチェ素子２１に代えてヒートパイプ等を配し、このヒートパイプ等で周辺の空気を冷却してもよい。ヒーター１１の輻射熱がペルチェ素子２１に直接及ぶことを低減するために、図９以外のものであっても、図９の風除部と同様に前後方向に延びるフード等でペルチェ素子２１を覆ってもよい。
【００６６】
本発明のイオン供給装置は、ハンドドライヤー、足乾燥機等の温風供給機、あるいは扇風機等にも組み込むことができ、クリーンルーム内に適用して集塵機として使用することができる。
【図面の簡単な説明】
【００６７】
【図１】本発明のイオン供給装置の要部を示す縦断側面図である。
【図２】本発明のイオン供給装置を適用したヘアードライヤの縦断側面図である。
【図３】図１のＡ−Ａ線断面図である。
【図４】ヘアードライヤの電気系を示す概略回路図である。
【図５】本発明のイオン供給装置の他の例を示す概略縦断側面図である。
【図６】本発明のイオン供給装置の他の例を示す概略縦断側面図である。
【図７】図６の例に係るイオン供給装置の正面図である。
【図８】本発明のイオン供給装置の他の例を示す概略縦断側面図である。
【図９】本発明の遮風手段の他の例を示す概略縦断側面図である。
【図１０】本発明の遮風手段の他の例を示す概略縦断側面図である。
【図１１】本発明のイオン供給装置の他の例を示す概略縦断側面図である。
【符号の説明】
【００６８】
４  送風路
１０  絶縁体
１１  ヒーター
１９  イオン発生器
２０  放電電極
２０ａ  先端部
２１  ペルチェ素子
２２  遮風手段
２３  放熱体
２７  遮風板部
２９  通気孔
３１  イオン発生ユニット
４２  サーモスタット
【図１】
2008099928.tif 000003
【図２】
2008099928.tif 000004
【図３】
2008099928.tif 000005
【図４】
2008099928.tif 000006
【図５】
2008099928.tif 000007
【図６】
2008099928.tif 000008
【図７】
2008099928.tif 000009
【図８】
2008099928.tif 000010
【図９】
2008099928.tif 000011
【図１０】
2008099928.tif 000012
【図１１】
2008099928.tif 000013